(57)【要約】【課題】操作性を維持しつつ汎用性の向上を図ると共に、低コストにてデザイン性の向上を図ることができるシリンダー錠を提供すること。【解決手段】扉に設けられ回転自在な軸部を有する錠本体と、上記扉の表面側に位置する上記軸部の一端側に固定して取り付けられた操作ノブと、上記軸部の他端側に固定して取り付けられ上記操作ノブの操作に連動して回転し上記扉の開放状態を設定するカムと、を備えている。そして、上記軸部の一端部と、上記操作ノブに形成され上記軸部の一端部が挿通して当該一端部と固定される筒状部とは、上記操作ノブの回転方向の角度を変更して当該操作ノブを上記軸部に固定可能なよう構成されている。【選択図】図４
0003151695.tif 000002
【実用新案登録請求の範囲】
【請求項１】
扉に設けられ回転自在な軸部を有する錠本体と、前記扉の表面側に位置する前記軸部の一端側に固定して取り付けられた操作ノブと、前記軸部の他端側に固定して取り付けられ前記操作ノブの操作に連動して回転し前記扉の開放状態を設定するカムと、を備え、
前記軸部の一端部と、前記操作ノブに形成され前記軸部の一端部が挿通して当該一端部と固定される筒状部とは、前記操作ノブの回転方向の角度を変更して当該操作ノブを前記軸部に固定可能なよう構成されている、
シリンダー錠。
【請求項２】
請求項１記載のシリンダー錠であって、
前記軸部の一端部の外周面に形成された軸部側凹凸部と、前記操作ノブの筒状部の内周面に形成され前記軸部側凹凸部に嵌合する筒状部側凹凸部とを備え、前記軸部側凹凸部と前記筒状部側凹凸部とは、相互に対応して嵌合する凹凸部分の嵌合位置を変えることで、前記操作ノブの回転方向の角度を変更して当該操作ノブを前記軸部に固定可能なよう構成されている、
シリンダー錠。
【請求項３】
請求項２記載のシリンダー錠であって、
前記軸部側凹凸部は、前記軸部の軸方向に沿って延びる複数の溝部を有しており、前記筒状部側凹凸部は、前記操作ノブの筒状部に前記軸部が挿通される方向に沿って延びる複数の溝部を有する、
シリンダー錠。
【請求項４】
請求項３記載のシリンダー錠であって、
前記軸部側凹凸部及び前記筒状部側凹凸部がそれぞれ有する前記各溝部は、一定の角度間隔にて形成されている、
シリンダー錠。
【請求項５】
扉に設けられ回転自在な軸部を有する錠本体と、前記扉の表面側に位置する前記軸部の一端側に固定して取り付けられた操作ノブと、前記軸部の他端側に固定して取り付けられ前記操作ノブの操作に連動して回転し前記扉の開放状態を設定するカムと、を備えたシリンダー錠に取り付け可能な前記操作ノブであって、
前記軸部の一端部が挿通して当該一端部と固定される筒状部を有すると共に、当該筒状部は、前記操作ノブの前記軸部に対する回転方向の角度を変更して当該操作ノブを前記軸部に固定可能なよう構成されている、
操作ノブ。
【請求項６】
請求項５記載の操作ノブであって、
前記筒状部の内周面に形成され、前記軸部の一端部の外周面に形成された軸部側凹凸部と嵌合する筒状部側凹凸部を備え、当該筒状部側凹凸部は、前記軸部側凹凸部に嵌合する凹凸部分の嵌合位置を変えることで、前記操作ノブの前記軸部に対する回転方向の角度を変更して当該操作ノブを前記軸部に固定可能なよう構成されている、
操作ノブ。
【考案の詳細な説明】
【技術分野】
【０００１】
本考案は、シリンダー錠にかかり、特に、扉に装備され当該扉の開閉時に操作するノブを有するシリンダー錠に関する。
【背景技術】
【０００２】
扉を有する本棚などの収納具には、内部に収納する物の盗難等を防止すべく、扉に当該扉を施錠するシリンダー錠が取り付けられている。そして、このシリンダー錠の両端、つまり、扉の外側に位置する端部側には、利用者が操作するノブが取り付けられており、扉の内側に位置する端部側には、当該扉を非開放状態にするカムが取り付けられている。そして、ノブとカムとは、連動して回転するよう錠本体を介して連結しており、開錠状態ではノブを回転させることでカムにて扉を非開放・開放の状態にすることができる。一方、カムにて扉を非開放の状態でシリンダー錠を施錠することで、ノブ及びカムを回転不可能とし、扉の非開放状態を維持することができる。なお、ノブを装備したシリンダー錠の一例が、特許文献１に開示されている。
【０００３】
ここで、通常、扉を開く際には、操作者はノブを回転して引く、という操作を行う。このため、ノブの形状や扉に対する取り付けの向きが、操作性において極めて重要となる。例えば、特許文献１に開示のノブは、当該ノブを回転することでピンを介して連結されているカムプレートを回転させ、扉を開いた状態にすることができるが、操作性のために、ノブの所定方向の長さが長く形成されている。また、ノブは、扉の外面に装着されるため、その取り付け向きが外観に影響を及ぼす。
【先行技術文献】
【特許文献】
【０００４】
【特許文献１】実公平６−２５５７７号公報
【考案の概要】
【考案が解決しようとする課題】
【０００５】
しかしながら、ノブは、上述したように、扉を非開放状態にするよう機能するカムや、シリンダー錠と連結して設けられるため、その向きを自由に設定して取り付けることができない。例えば、ノブの回転方向の向きを変えてしまうと、これに連結されているカムが突出する向きも変わってしまい、扉の開閉操作が困難となりうる。従って、操作性を優先してノブをシリンダー錠に取り付けると、当該ノブを取り付けることが可能なシリンダー錠が制限されてしまい、ノブの汎用性の向上を図ることができない。また、ノブの取り付け向きが一定方向に限定されてしまうため、外観のデザイン性の向上を図ることができない。一方で、外観のデザイン性を優先させると、シリンダー錠自体を交換する必要があり、高コストとなる、という問題が生じる。
【０００６】
このため、本考案の目的は、上述した課題である、操作性を維持しつつ汎用性の向上を図ると共に、低コストにてデザイン性の向上を図ることができるシリンダー錠を提供することにある。
【課題を解決するための手段】
【０００７】
かかる目的を達成するため本発明の一形態であるシリンダー錠は、扉に設けられ回転自在な軸部を有する錠本体と、上記扉の表面側に位置する上記軸部の一端側に固定して取り付けられた操作ノブと、上記軸部の他端側に固定して取り付けられ上記操作ノブの操作に連動して回転し上記扉の開放状態を設定するカムと、を備えている。
【０００８】
そして、上記軸部の一端部と、上記操作ノブに形成され上記軸部の一端部が挿通して当該一端部と固定される筒状部とは、上記操作ノブの回転方向の角度を変更して当該操作ノブを上記軸部に固定可能なよう構成されている。
【０００９】
また、本発明の他の形態である操作ノブは、扉に設けられ回転自在な軸部を有する錠本体と、上記扉の表面側に位置する上記軸部の一端側に固定して取り付けられた操作ノブと、上記軸部の他端側に固定して取り付けられ上記操作ノブの操作に連動して回転し上記扉の開放状態を設定するカムと、を備えたシリンダー錠に取り付け可能な上記操作ノブである。
【００１０】
そして、上記操作ノブは、上記軸部の一端部が挿通して当該一端部と固定される筒状部を有すると共に、当該筒状部は、上記操作ノブの上記軸部に対する回転方向の角度を変更して当該操作ノブを上記軸部に固定可能なよう構成されている。
【考案の効果】
【００１１】
本発明は、以上のように構成されることにより、操作性を維持しつつ汎用性の向上を図ることができると共に、低コストにてデザイン性の向上を図ることができるシリンダー錠を提供することができる。
【図面の簡単な説明】
【００１２】
【図１】シリンダー錠が取り付けられた収納具の外観、及び、シリンダー錠の動作を示す図である。
【図２】シリンダー錠の構成の一部であり、錠本体とカムの構成を示す図である。
【図３】シリンダー錠の構成の一部であり、操作ノブの構成を示す図である。
【図４】シリンダー錠を扉に取り付けるときの様子を示す図である。
【図５】操作ノブの取り付け角度を説明する図である。
【図６】操作ノブの他の例を示す図である。
【考案を実施するための形態】
【００１３】
＜実施形態１＞
本発明の第１の実施形態を、図１乃至図６を参照して説明する。図１は、シリンダー錠が取り付けられる収納具の一例を示すと共に、当該シリンダー錠の動作を説明する図である。図２乃至図３は、シリンダー錠の構成を示す図であり、図４は、シリンダー錠の組み付けの様子及び扉に取り付けるときの様子を示す図である。図５は、操作ノブの取り付け角度を説明する図である。図６は、操作ノブの他の例を示す図である。
【００１４】
本実施形態におけるシリンダー錠１は、図１（Ａ）に示すように、内部に収容空間が形成された収納具５の扉５１に設けられるものである。そして、このシリンダー錠１を用いて収納具５の扉５１を施錠することで、当該扉５１の開閉を不可能とし、収納具５内部に収納した物の盗難等を防ぐことができる。
【００１５】
ここで、本実施形態におけるシリンダー錠１の構成の概略を、図１（Ｂ）を参照して説明する。まず、シリンダー錠１は、扉５１に設けられ、当該扉５１に対して回転自在な軸部１１を有する錠本体１０を備えている。この錠本体１０には、鍵穴が形成されており、対応する鍵で開錠した状態で軸部１１が回転自在となり、一方、施錠することで、軸部１１の回転が不可能な状態となる。
【００１６】
また、シリンダー錠１には、扉５１の外側つまり表面側に位置する軸部１１の一端部に、所定の長さを有するレバー状の操作ノブ３０が固定して取り付けられている。また、シリンダー錠１には、扉５１の内部側に位置する軸部１１の他端部側に、所定の長さを有する板状のカム２０が固定して取り付けられている。そして、上記操作ノブ３０の長手方向と、上記カム２０の長手方向とは、図１（Ｂ）に示すように、相互に直角となるよう取り付けられている。なお、図１（Ｂ）では、シリンダー錠１の構成を説明すべく、収納具５を２点鎖線で示している。また、操作ノブ３０とカム２０の取り付け向きは一例であって、それぞれが他の向きに取り付けられていてもよい。
【００１７】
これにより、錠本体１０を開錠した状態で操作ノブ３０を操作して軸部１１を回転させると、これに連動してカム２０も回転可動する。そして、カム２０は、例えば、図１（Ｂ）に示すように、扉５１が非開放状態のときには、収納具５の開口部付近の壁面に形成されたカム用穴５２に挿入された状態となる。かかる状態でシリンダー錠１を施錠することで、操作ノブ３０を回転させることができず、扉５１は非開放状態のままとなる。一方、錠本体１０を開錠した状態で、図１（Ｂ）に示すよう時計回り（矢印Ｙ１方向）に操作ノブ３０を回転させると、これに連動してカム２０も時計回り（矢印Ｙ２方向）に回転し、当該カム２０が収納具５に形成されたカム用穴５２内から抜かれた状態となる。すると、扉５１が開放状態となり、操作ノブ３０を手前に引くことで、扉５１を開くことができる。
【００１８】
次に、図２及び図３を参照して、シリンダー錠１の構成について詳述する。まず、図２は、シリンダー錠１を構成する錠本体１０とカム２０とを示している。なお、図２（Ｂ）は、カム２０の正面図であり、その左側面図を図２（Ａ）に示し、右側面図を図２（Ｃ）に示す。
【００１９】
図２に示すように、錠本体１０は、中心に鍵穴が形成された軸部１１を備えている。この軸部１１は、開錠時には、中心付近の外周に設けられている筐体１２にて、回転自在に軸支されている。そして、この筐体１２には、後述するように、扉５１に取り付けられる際に当該扉５１を挟むカバー部材１３とナット１４とが設けられている。
【００２０】
そして、上述した回転自在な軸部１１の他端部つまり扉５１の内部側に位置し鍵穴とは反対側の端部には、その端面に板状のカム２０がボルト１５にて固定されて取り付けられている。このとき、カム２０の板状部分は、軸部１１の長手方向と垂直方向に突出した状態となる。
【００２１】
一方、軸部１１の一端部つまり扉５１の表面側に位置する鍵穴が形成されている端部付近には、操作ノブ３０を取り付け可能なよう、複数の溝、換言すると、凹凸状の軸部側凹凸部１１ａが形成されている。具体的には、円柱状である軸部１１の一端部の外周面に、当該軸部１１の軸方向に沿った複数の凹凸の溝が形成されている。このとき、軸部側凹凸部１１ａの溝つまり凹凸の山部分のピッチは、図２（Ａ）に示すように、角度Ｒが１５度の間隔で形成されている。
【００２２】
続いて、図３は、シリンダー錠１を構成する操作ノブ３０を示している。なお、図３（Ｂ）は、操作ノブ３０の正面図であり、その左側面図を図３（Ａ）に示し、図３（Ａ）のＡ−Ａ断面図を図３（Ｃ）に示す。
【００２３】
図３に示すように、操作ノブ３０は、筒状部３１と、この筒状部３１の外周面から外部に向かって突出する所定の長さのレバー部３２と、を有して構成されている。そして、筒状部３１は、略円筒形状であり、その内径は、上述した軸部１１の一端部が挿通可能なよう、当該軸部１１の一端部の外径とほぼ同一である。そして、筒状部３１の内周面には、軸穴方向に沿った複数の凹凸の溝が形成されている。つまり、円筒部３１の内周面には、上記軸部１１の一端部の外周面に形成された軸部側凹凸部の溝に対応する複数の凹凸の溝が形成された筒状部側凹凸部３１ａを有している。そして、この筒状部側凹凸部３１ａの溝部つまり凹凸の山部分のピッチは、図３（Ａ）に示すように、角度Ｒが１５度の間隔で形成されており、凹凸の山部分の高さや溝部分の深さは、上記軸部側凹凸部の溝部とほぼ同一である。
【００２４】
そして、上記操作ノブ３０の筒状部３１に、軸部１１の一端部が挿通した際には、操作ノブ３０の筒状部３１に形成された符号３１ａに示す凹凸部分と、軸部１１の一端部に形成された符号１１ａに示す凹凸部分とが、相互に嵌合する。また、操作ノブ３０の筒状部３１の壁面には、操作ノブ３０と軸部１１とを固定するネジ３３（図４（Ａ）参照）を挿通するための、外部から内部に通ずる貫通穴３１ｂが形成されている。
【００２５】
次に、図４を参照して、上述した構成のシリンダー錠１の使用時の様子、つまり、組み付け時、及び、扉５１への取り付け時の様子を説明する。まず、図４（Ａ）の矢印Ｙ１０に示すように、操作ノブ３０の筒状部３１内に、錠本体１０の軸部１１の一端部を挿通する。このとき、軸部１１の一端部の外周面に形成された各溝（１１ａ）が、操作ノブ３０の筒状部３１の内周面に形成された各溝（３１ａ）にしっかりと嵌め合わされた状態で、軸部１１を筒状部３１に挿通する。
【００２６】
さらに、このとき、操作ノブ３０を軸部１１に対して所定の角度に回転させ、嵌め合わせる溝の位置を変えて挿通させることで、軸部１１の鍵穴に対する操作ノブ３０のレバー部３２の長手方向の向きを変えることができる。そして、各溝のピッチは上述したように１５度間隔で形成しているため、例えば、図５（Ａ）に示すように、１５度毎にレバー部３２の向きを変更して、操作ノブ３０を取り付けることができる。
【００２７】
その後、貫通穴３１ｂにネジ３３を挿通することで、操作ノブ３０が軸方向に移動しないよう、操作ノブ３０と軸部１１とを固定することができる。
【００２８】
また、図４（Ｂ）には、上述したように操作ノブ３０を組み付けた錠本体１０を、扉５１に取り付けるときの様子を示している。この図に示すように、まず、錠本体１０の軸部１１の他端側を、扉５１の表面側から当該扉５１に形成された取り付け用穴５１ａに挿通する。そして、扉５１の内部側から、挿通された軸部１１の他端側にナット４１を挿通して締結する。これにより、扉５１の表面側のカバー部材１３と内部側のナット１４とで扉５１を挟むことができ、錠本体１０を扉５１に固定することができる。
【００２９】
また、軸部１１の他端面には、カム２０を装着してボルト１５にて固定する。これにより、操作ノブ３０の回転に連動してカム２０が回転するよう構成される。
【００３０】
以上のように、本実施形態におけるシリンダー錠１によると、軸部１１の一端部に対して、操作ノブ３０の筒状部３１を、その回転方向の角度を変更させて、固定装備することができる。例えば、上述した例では、図５（Ａ）に示すように、１５度間隔で、角度を変更させることができる。従って、操作ノブ３０を扉５１の操作が容易となるような角度に取り付けることができ、操作性の向上を図ることができる。また、取り付け角度を種々の角度に設定可能であるため、多種のシリンダー錠に対応でき、汎用性の向上を図ることができる。さらに、操作ノブ３０を設定された角度単位で所望の向きに取り付けることができるため、シリンダー錠１を取り付けた扉を有する収納具のデザイン性の向上を図ることができる。また、既存のシリンダー錠１に対して、所望の操作ノブ３０を取り付けることができるため、シリンダー錠１自体を交換する必要がなく、低コスト化を図ることができる。
【００３１】
ここで、上述した操作ノブ３０の形状は一例であって、特に、操作ノブ３０のレバー部３２の形状は、他の形状であってもよい。例えば、図６（Ａ）に示すように、レバー部３２の形状は、略長方形であってもよい。なお、図６（Ｂ）は、操作ノブ３０の正面図であり、その左側面図を図６（Ａ）に示し、図６（Ａ）のＡ−Ａ断面図を図６（Ｃ）に示す。
【００３２】
そして、上記操作ノブ３０のその他の構成、つまり、筒状部３１やその内周面に形成された筒状部側凹凸部３１ａの構成は、上述したものと同様である。そして、かかる場合にも、操作ノブ３０を軸部１１に対して回転させ、嵌め合わせる溝の位置を変えて挿通させることで、軸部１１の鍵穴に対する操作ノブ３０のレバー部３２の長手方向の向きを変更することができる。すると、図５（Ｂ）に示すように、１５度毎にレバー部３２の向きを可変することができ、収納具５の構造に対応して、操作性の向上やデザイン性の向上を図ることができる。
【００３３】
なお、上記では、軸部１１の一端部及び操作ノブ３０の筒状部３１には、１５度間隔で溝を形成する場合を例示したが、かかる角度に限定されない。他の一定の角度間隔に、溝が形成されていてもよい。
【００３４】
＜実施形態２＞
本発明の第２の実施形態におけるシリンダー錠について説明する。なお、本実施形態では、上記実施形態１にて説明したシリンダー錠の構成の概略を説明する。
【００３５】
本発明の一形態であるシリンダー錠は、扉に設けられ回転自在な軸部を有する錠本体と、上記扉の表面側に位置する上記軸部の一端側に固定して取り付けられた操作ノブと、上記軸部の他端側に固定して取り付けられ上記操作ノブの操作に連動して回転し上記扉の開放状態を設定するカムと、を備えている。
そして、上記軸部の一端部と、上記操作ノブに形成され上記軸部の一端部が挿通して当該一端部と固定される筒状部とは、上記操作ノブの回転方向の角度を変更して当該操作ノブを上記軸部に固定可能なよう構成されている。
【００３６】
また、上記シリンダー錠では、上記軸部の一端部の外周面に形成された軸部側凹凸部と、上記操作ノブの筒状部の内周面に形成され上記軸部側凹凸部に嵌合する筒状部側凹凸部とを備え、上記軸部側凹凸部と上記筒状部側凹凸部とは、相互に対応して嵌合する凹凸部分の嵌合位置を変えることで、上記操作ノブの回転方向の角度を変更して当該操作ノブを上記軸部に固定可能なよう構成されている。
【００３７】
また、上記シリンダー錠では、上記軸部側凹凸部は、上記軸部の軸方向に沿って延びる複数の溝部を有しており、上記筒状部側凹凸部は、上記操作ノブの筒状部に上記軸部が挿通される方向に沿って延びる複数の溝部を有する。
【００３８】
さらに、上記シリンダー錠では、上記軸部側凹凸部及び上記筒状部側凹凸部がそれぞれ有する上記各溝部は、一定の角度間隔にて形成されている。
【００３９】
以上の構成のシリンダー錠によると、錠本体に設けられた軸部の一端部に対して、ノブの筒状部をその回転角度の角度を変更させて、固定装備することができる。例えば、軸部の一端部の外周面に、凹凸の溝を所定の角度間隔に形成すると共に、当該軸部の一端部を挿通するノブの筒状部の内周面にも、上記軸部の凹凸の溝に対応して嵌合する溝を所定の角度間隔に形成することで、当該形成された角度単位でノブの向きを変えて、軸部に固定することができる。従って、ノブを扉の操作が容易となるよう取り付けることができ、操作性の向上を図ることができると共に、多種のシリンダー錠に対応でき、汎用性の向上を図ることができる。また、ノブを設定された角度単位で所望の向きに取り付けることができるため、シリンダー錠を取り付けた扉を有する収納具のデザイン性の向上を図ることができる。さらに、シリンダー錠自体を交換することなく、ノブのみを交換することができ、低コスト化を図ることができる。
【００４０】
また、本実施形態では、上述したシリンダー錠に装備される操作ノブも提供している。つまり、本実施形態における操作ノブは、上記軸部の一端部が挿通して当該一端部と固定される筒状部を有すると共に、当該筒状部は、上記操作ノブの上記軸部に対する回転方向の角度を変更して当該操作ノブを上記軸部に固定可能なよう構成されている。
【００４１】
さらに、上記操作ノブは、上記筒状部の内周面に形成され、上記軸部の一端部の外周面に形成された軸部側凹凸部と嵌合する筒状部側凹凸部を備え、当該筒状部側凹凸部は、上記軸部側凹凸部に嵌合する凹凸部分の嵌合位置を変えることで、上記操作ノブの上記軸部に対する回転方向の角度を変更して当該操作ノブを上記軸部に固定可能なよう構成されている。
【００４２】
上述した構成を有する、操作ノブ、の発明であっても、上記シリンダー錠と同様の作用を有するために、上述した本発明の目的を達成することができる。
【産業上の利用可能性】
【００４３】
本発明は、収納具の扉に装備される操作ノブを有するシリンダー錠に適用することができ、産業上の利用可能性を有する。
【符号の説明】
【００４４】
１  シリンダー錠
１０  錠本体
１１  軸部
１１ａ  軸部側凹凸部
２０  カム
３０  操作ノブ
３１  円筒部
３１ａ  円筒部側凹凸部
３２  レバー部
５  収納具
５１  扉
【図１】
0003151695.tif 000003
【図２】
0003151695.tif 000004
【図３】
0003151695.tif 000005
【図４】
0003151695.tif 000006
【図５】
0003151695.tif 000007
【図６】
0003151695.tif 000008